(57)【要約】【課題】液晶表示装置においてスクロール表示されるマーク画像の画像ボケの発生を防止し，そのマーク画像の表示を明瞭化できること。【解決手段】液晶表示画面における背景ｇｂの階調レベルが既知の表示領域において一のスクロール方向Ｆに移動されつつ描画されるマーク画像の形状及び階調レベルを表すスクロール用マークデータにおいて，そのマーク画像における，スクロール方向Ｆ及びその反対方向Ｂそれぞれにおいて背景に接する境界部分であるエッジ部ｅｆ，ｅｂの階調レベルと，それ以外の非エッジ部ｅｍの階調レベルとが異なるレベルに設定されている。例えば，エッジ部ｅｆ，ｅｂの階調レベルの方が非エッジ部ｅｍの階調レベルよりも背景ｇｂの階調レベルに対する差が大きくなるレベルに設定されている。【選択図】図２
2010066414.tif 000002
【特許請求の範囲】
【請求項１】
液晶表示装置における記憶手段に記憶され，液晶表示画面における背景の階調レベルが既知の表示領域において一のスクロール方向に移動されつつ描画されるマーク画像の形状及び階調レベルを表すスクロール用マークデータであって，
前記マーク画像における，前記スクロール方向及びその反対方向それぞれにおいて背景に接する境界部分であるエッジ部の階調レベルと，前記エッジ部以外の部分である非エッジ部の階調レベルとが異なるレベルに設定されてなることを特徴とするスクロール用マークデータ。
【請求項２】
前記マーク画像における，前記エッジ部の階調レベルの方が前記非エッジ部の階調レベルよりも前記背景の階調レベルに対する差が大きくなるレベルに設定されてなる請求項１に記載のスクロール用マークデータ。
【請求項３】
前記背景の階調レベルが最大の階調レベルであるのに対し，前記エッジ部の階調レベルが最小の階調レベルに設定され，前記非エッジ部の階調レベルが最大の階調レベルよりも最小の階調レベルの方に近い中間の階調レベルに設定されてなる請求項２に記載のスクロール用マークデータ。
【請求項４】
前記背景の階調レベルが最小の階調レベルであるのに対し，前記エッジ部の階調レベルが最大の階調レベルに設定され，前記非エッジ部の階調レベルが最小の階調レベルよりも最大の階調レベルの方に近い中間の階調レベルに設定されてなる請求項２に記載のスクロール用マークデータ。
【請求項５】
前記マーク画像における，前記エッジ部の階調レベルと前記非エッジ部の階調レベルとが，それぞれ前記背景の階調レベルに対する大小関係が反対のレベルに設定されてなる請求項１に記載のスクロール用マークデータ。
【請求項６】
前記背景の階調レベルが最小の階調レベルよりも最大の階調レベルの方に近い中間の階調レベルであるのに対し，前記エッジ部の階調レベルが最大の階調レベルに設定され，前記非エッジ部の階調レベルが最小の階調レベルに設定されてなる請求項５に記載のスクロール用マークデータ。
【請求項７】
前記背景の階調レベルが最大の階調レベルよりも最小の階調レベルの方に近い中間の階調レベルであるのに対し，前記エッジ部の階調レベルが最小の階調レベルに設定され，前記非エッジ部の階調レベルが最大の階調レベルに設定されてなる請求項５に記載のスクロール用マークデータ。
【請求項８】
請求項１〜７のいずれかに記載のスクロール用マークデータが記録されたコンピュータ読み取り可能な記録媒体。
【請求項９】
マーク画像の形状及び階調レベルを表すマークデータに基づいて，液晶表示画面における背景の階調レベルが既知の表示領域において前記マーク画像を一のスクロール方向に移動させつつ描画させる液晶表示装置であって，
一定の階調レベルが設定された基準のマークデータに対し，該基準のマークデータが表すマーク画像における，前記スクロール方向及びその反対方向それぞれにおいて背景に接する境界部分であるエッジ部の階調レベルの方が，前記エッジ部以外の部分である非エッジ部の階調レベルよりも前記背景の階調レベルに対する差が大きくなるよう階調レベルの補正を行うマークデータ補正手段と，
前記液晶表示画面において，前記マークデータ補正手段により得られた補正後のマークデータに基づく前記マーク画像を前記スクロール方向に移動させつつ描画させるスクロール描画手段と，
を具備してなることを特徴とする液晶表示装置。
【請求項１０】
マーク画像の形状及び階調レベルを表すマークデータに基づいて，液晶表示画面における背景の階調レベルが既知の表示領域において前記マーク画像を一のスクロール方向に移動させつつ描画させる液晶表示装置であって，
一定の階調レベルが設定された基準のマークデータに対し，該基準のマークデータが表すマーク画像における，前記スクロール方向及びその反対方向それぞれにおいて背景に接する境界部分であるエッジ部の階調レベルと，前記エッジ部以外の部分である非エッジ部の階調レベルとが，それぞれ前記背景の階調レベルに対する大小関係が反対のレベルとなるよう階調レベルの補正を行うマークデータ補正手段と，
前記液晶表示画面において，前記マークデータ補正手段により得られた補正後のマークデータに基づく前記マーク画像を前記スクロール方向に移動させつつ描画させるスクロール描画手段と，
を具備してなることを特徴とする液晶表示装置。
【発明の詳細な説明】
【技術分野】
【０００１】
本発明は，液晶表示画面において一のスクロール方向に移動されつつ描画されるマーク画像の形状及び階調レベルを表すスクロール用マークデータ及びそれが記録されたコンピュータ読み取り可能な記録媒体，並びにマークデータをスクロール用に補正する機能を備えた液晶表示装置に関するものである。
【背景技術】
【０００２】
液晶表示装置において，液晶表示パネルに設けられた液晶素子に，画像信号の各フレームにおけるＲ，Ｇ，Ｂ３原色それぞれの階調信号のレベルに応じた電圧（階調電圧）が印可されることにより，液晶表示パネルに画像信号に対応した画像が表示される。
液晶素子は，応答速度が比較的遅い性質，即ち，印加された階調電圧の変化に対してフィルタ特性の変化が遅れる性質を有している。
そこで，液晶表示装置は，特許文献１，２等に示されるように，入力される画像の階調レベルをその変化に応じて補正した上で液晶表示パネルの駆動部に供給する加速駆動処理を行う機能を有する場合が多い。この加速駆動処理は，入力される画像信号における１つ前のフレームから今回のフレームへの階調レベルの変化に対し，液晶表示パネルの駆動部に供給する信号の階調レベルの変化をオーバーシュートさせる処理である。これにより，液晶素子に供給される階調電圧がオーバーシュートするが，液晶素子のフィルタ特性は，オーバーシュートすることなく目標状態へ速やかに変化し，液晶表示パネルの動画表示の応答性が良くなる。
また，液晶表示装置では，液晶表示パネルの駆動周期（液晶素子に対する階調電圧の切替周期）を，画像信号におけるフレーム更新周期の２倍にして動画表示の応答性を高める倍速駆動処理も行われる。この倍速駆動処理では，表示対象画像（動画）におけるあるフレーム画像と次のフレーム画像との間に，それらの中間的な画像が生成及び挿入される。
【０００３】
ところで，液晶表示装置による表示対象となる画像には，スクロール画像が含まれることが多い。スクロール画像は，文字や図形等の画像であるマーク画像が，表示画面内で一の方向に移動されつつ描画される（スクロール表示される）画像である。このスクロール画像は，例えば，放送番組や映画等のコンテンツの画像に多く見られる。以下，スクロール画像の移動方向をスクロール方向という。
また，前記倍速駆動処理では，前記中間的な画像の生成にあたり，スクロール表示されるマーク画像の抽出が行われる。
マーク画像の抽出処理では，連続する複数のフレーム画像相互間において，その部分画像の相関度が算出される。さらに，所定以上の相関度を有する部分画像が，連続する複数のフレーム画像の中で一定速度で移動している場合に，その部分画像が，スクロール表示されているマーク画像として抽出される。抽出されたマーク画像は，前記中間的な画像において，あるフレーム画像内での表示位置と次のフレーム画像内での表示位置との中間の位置に配置される。
【０００４】
また，液晶表示装置等の映像表示装置は，表示対象となるコンテンツの画像に，別途指定されるキャラクタコードに対応するマーク画像（文字等）を重畳させてスクロール表示させる機能も備える。この場合，映像表示装置は，キャラクタコードとマーク画像の形状及び階調レベルを表すマークデータとが対応付けられて予め記憶されたＲＯＭ等の不揮発性メモリを備え，そのマークデータに基づいてマーク画像の表示形態を特定する。なお，前記マークデータは，一般に，フォントデータと称されるデータである。前記マーク画像には，文字（フォント）以外の図形等の画像も含まれ得るので，本明細書においては，前記フォントデータを含む用語として，マークデータという用語を用いる。
なお，特許文献３には，スクロール画像における個々の文字の間に未点灯の空白を挿入することにより，スクロール画像を見やすくする技術について示されている。
【０００５】
【特許文献１】特開２０００−２３１０９１号公報
【特許文献２】特開２００３−２０７７６１号公報
【特許文献３】特開２００６−２７６１３５号公報
【発明の開示】
【発明が解決しようとする課題】
【０００６】
しかしながら，液晶表示装置は，前記加速駆動処理や前記倍速駆動処理を行う機能を有していても，マーク画像のスクロール表示が行われた場合，移動するマーク画像の画像ボケが生じやすく，その表示が不明瞭となりやすいという問題点があった。以下，そのことについて説明する。
一般に，スクロール画像は，次の２つの表示パターンのいずれかでスクロール表示されることが多い。即ち，第１の表示パターンは，背景が白色（最大の階調レベル）又はそれに近い階調レベルである領域に，黒色（最小の階調レベル）又はそれに近い階調レベルのマーク画像がスクロール表示されるパターンである。また，第２の表示パターンは，背景が黒色又はそれに近い階調レベルである領域に，白色又はそれに近い階調レベルのマーク画像がスクロール表示されるパターンである。
【０００７】
図１３は，従来の液晶表示装置において，文字"ロ"を表すマーク画像が，前記第１の表示パターンでスクロール表示される様子を表す。なお，図１３において，紙面に向かって左方向がスクロール方向Ｆ（マーク画像の移動方向）である。また，以下において，マーク画像がスクロールする（移動する）方向に対して反対の方向を反スクロール方向と称する。図１３においては，紙面に向かって右方向が反スクロール方向Ｂである。
また，図１４は，従来の液晶表示装置のある画素（液晶素子）において，図１３に示されるマーク画像ｇｆ0の一部分Ｐ０が表示されるときの当該画素の階調レベルＬvの変化を表す。
前記第１の表示パターンでスクロール表示が行われると，図１４に示されるように，画素の階調レベルは，最小の階調レベル又はそれに近い階調レベルが継続するマーク画像の描画状態から，一気に最大の階調レベル又はそれに近い階調レベルである背景の描画状態へ切り替わる。この場合，液晶素子は，マーク画像の表示中に，最小の階調レベルのフィルタ状態で継続保持されることにより，その状態から最大の階調レベルのフィルタ状態へ切り替わるまでの遅れ時間が大きくなる。その結果，図１３に示されるように，マーク画像ｇｆ0における反スクロール方向Ｂの端部（移動方向に対して反対側の端部，図１３におけるマーク画像ｇｆ0の右側端部）において黒い像が残存する画像ボケｇ１が生じやすい。同様に，マーク画像ｇｆ0におけるスクロール方向Ｆの端部（移動方向の端部，図１３におけるマーク画像ｇｆ0の左側端部）においても，上記した現象と同様の現象により，マーク画像ｇｆ0内に白い像が残存する画像ボケｇ２が生じやすい。この画像ボケｇ２は，スクロール表示される複数のマーク画像の間隔が広い場合に生じやすい。
また，前記第２の表示パターンでスクロール表示が行われる場合も，前記第１の表示パターンでスクロール表示が行われる場合（図１３，図１４）と同様に，画像ボケが生じやすい。
【０００８】
以上に示したスクロール画像における画像ボケの現象は，前記倍速駆動処理が行われても十分には解消されない。
また，スクロール表示においては，画素の階調レベルが，最小の階調レベルと最大の階調レベルとの間で一気に切り替わることが多いため，階調レベルをオーバーシュートさせる補正の余地がなく，前記加速駆動処理が有効に機能しない。
また，液晶表示装置におけるスクロール画像の画像ボケは，特許文献３に示されるように，各マーク画像の間に空白部を設けても解消されない。
従って，本発明は上記事情に鑑みてなされたものであり，その目的とするところは，液晶表示装置においてスクロール表示されるマーク画像の画像ボケの発生を防止し，そのマーク画像の表示を明瞭化することに有効な，スクロール用のマークデータ及びそれが記録されたコンピュータ読み取り可能な記録媒体，並びに液晶表示装置を提供することにある。
【課題を解決するための手段】
【０００９】
上記目的を達成するために本発明（後述する第１の発明及び第２の発明を含む）は，液晶表示装置におけるＲＯＭ等の記憶手段に記憶され，液晶表示画面における背景の階調レベルが既知の表示領域において一のスクロール方向に移動されつつ描画されるマーク画像の形状及び階調レベルを表すスクロール用マークデータに係る発明である。そして，本発明に係るスクロール用マークデータは，以下に示される特徴を有している。
・前記マーク画像における，前記スクロール方向及びその反対方向それぞれにおいて背景に接する境界部分であるエッジ部の階調レベルと，前記エッジ部以外の部分である非エッジ部の階調レベルとが異なるレベルに設定されている。
より具体的には，第１の発明に係るスクロール用マークデータは，次の（１−１）に示される特徴を有している。
（１−１）前記マーク画像における，前記エッジ部の階調レベルの方が前記非エッジ部の階調レベルよりも前記背景の階調レベルに対する差が大きくなるレベルに設定されている。
この（１−１）の特徴を有するスクロール用マークデータの典型例としては，次の（１−２）又は（１−３）に示されるデータが考えられる。
（１−２）前記背景の階調レベルが最大の階調レベルであるのに対し，前記エッジ部の階調レベルが最小の階調レベルに設定され，前記非エッジ部の階調レベルが最大の階調レベルよりも最小の階調レベルの方に近い中間の階調レベルに設定された前記スクロール用マークデータ。
（１−３）前記背景の階調レベルが最小の階調レベルであるのに対し，前記エッジ部の階調レベルが最大の階調レベルに設定され，前記非エッジ部の階調レベルが最小の階調レベルよりも最大の階調レベルの方に近い中間の階調レベルに設定された前記スクロール用マークデータ。
（１−２）に示されるデータは，前記第１の表示パターンでスクロール表示が行われる場合に用いられるマークデータである。
一方，（１−３）に示されるデータは，前記第２の表示パターンでスクロール表示が行われる場合に用いられるマークデータである。
【００１０】
また，第２の発明に係るスクロール用マークデータは，次の（２−１）に示される特徴を有している。
（２−１）前記マーク画像における，前記スクロール方向及びその反対方向それぞれにおいて背景に接する境界部分であるエッジ部の階調レベルと，前記エッジ部以外の部分である非エッジ部の階調レベルとが，それぞれ前記背景の階調レベルに対する大小関係が反対のレベルに設定されている。
この第２の発明に係るスクロール用マークデータは，スクロール表示の領域の背景の階調レベルが，最小の階調レベルと最大の階調レベルとの間の中間のレベルである場合に用いられるデータである。
なお，第２の発明に係るスクロール用マークデータが表すマーク画像における前記エッジ部は，後述するように，その階調レベルが前記非エッジ部の階調レベルよりも背景の階調レベルに近く，画面上では，マーク画像の縁部と接する背景の部分として認識される部分となる。
【００１１】
前記（２−１）の特徴を有するスクロール用マークデータの例としては，次の（２−２）又は（２−３）に示されるデータが考えられる。
（２−２）前記背景の階調レベルが最小の階調レベルよりも最大の階調レベルの方に近い中間の階調レベルであるのに対し，前記エッジ部の階調レベルが最大の階調レベルに設定され，前記非エッジ部の階調レベルが最小の階調レベルに設定された前記スクロール用マークデータ。
（２−３）前記背景の階調レベルが最大の階調レベルよりも最小の階調レベルの方に近い中間の階調レベルであるのに対し，前記エッジ部の階調レベルが最小の階調レベルに設定され，前記非エッジ部の階調レベルが最大の階調レベルに設定された前記スクロール用マークデータ。
前記（２−２）に示されるデータは，背景の階調レベルが比較的大きな（白に近い）領域に，黒又はそれに近い階調レベルのマーク画像をスクロール表示させる場合に用いられるデータである。
一方，前記（２−３）に示されるデータは，背景の階調レベルが比較的小さな（黒に近い）領域に，白又はそれに近い階調レベルのマーク画像をスクロール表示させる場合に用いられるデータである。
【００１２】
液晶表示装置において，以上に示した本発明（第１の発明又は第２の発明）に係るスクロール用マークデータに基づいてスクロール表示が行われた場合，後述するように，マーク画像の表示と背景の表示とが切り替わる際に，液晶素子に印可される階調電圧が，前記加速駆動処理が行われる場合と同様により急峻に変化する。その結果，マーク画像の表示と背景の表示とが切り替わる際の液晶素子の応答性が高まり，スクロール表示されるマーク画像の画像ボケを防止できる。
また，本発明は，以上に示された第１の発明又は第２の発明に係るスクロール用マークデータが記録されたコンピュータ読み取り可能な記録媒体として捉えることもできる。そのような記録媒体に記録された前記スクロール用マークデータは，液晶表示装置が備えるマイクロプロセッサ（コンピュータの一例）により参照され，そのマイクロプロセッサにより，スクロール表示処理が実行される。
【００１３】
また，本発明は，一定の階調レベルが設定された基準のマークデータ（従来のマークデータ）を補正して，前記第１の発明又は前記第２の発明に係るスクロール用マークデータを生成し，生成したデータに基づきスクロール表示を行う液晶表示装置に係る発明として捉えることもできる。
即ち，本発明に係る液晶表示装置は，マーク画像の形状及び階調レベルを表すマークデータに基づいて，液晶表示画面における背景の階調レベルが既知の表示領域において前記マーク画像を一のスクロール方向に移動させつつ描画させる装置である。
そして，第１の発明に係る液晶表示装置は，次の（Ｄ１−１）及び（Ｄ１−２）に示される各構成要素を備える。
（Ｄ１−１）一定の階調レベルが設定された基準のマークデータに対し，その基準のマークデータが表すマーク画像における，前記スクロール方向及びその反対方向それぞれにおいて背景に接する境界部分であるエッジ部の階調レベルの方が，前記エッジ部以外の部分である非エッジ部の階調レベルよりも前記背景の階調レベルに対する差が大きくなるよう階調レベルの補正を行うマークデータ補正手段。
（Ｄ１−２）前記液晶表示画面において，前記マークデータ補正手段により得られた補正後のマークデータに基づく前記マーク画像を前記スクロール方向に移動させつつ描画させるスクロール描画手段。
この第１の発明に係る液晶装置は，前記第１の発明に係るスクロール用マークデータを用いてスクロール表示が行われる場合と同様の作用効果を奏する。
【００１４】
また，第２の発明に係る液晶表示装置は，次の（Ｄ２−１）及び（Ｄ２−２）に示される各構成要素を備える。
（Ｄ２−１）一定の階調レベルが設定された基準のマークデータに対し，その基準のマークデータが表すマーク画像における，前記スクロール方向及びその反対方向それぞれにおいて背景に接する境界部分であるエッジ部の階調レベルと，前記エッジ部以外の部分である非エッジ部の階調レベルとが，それぞれ前記背景の階調レベルに対する大小関係が反対のレベルとなるよう階調レベルの補正を行うマークデータ補正手段。
（Ｄ２−２）前記液晶表示画面において，前記マークデータ補正手段により得られた補正後のマークデータに基づく前記マーク画像を前記スクロール方向に移動させつつ描画させるスクロール描画手段。
この第２の発明に係る液晶装置は，前記第２の発明に係るスクロール用マークデータを用いてスクロール表示が行われる場合と同様の作用効果を奏する。
【発明の効果】
【００１５】
本発明によれば，液晶表示装置においてスクロール表示されるマーク画像の画像ボケの発生を防止し，そのマーク画像の表示を明瞭化することができる。
【発明を実施するための最良の形態】
【００１６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明に係るスクロール用マークデータに基づいてスクロール表示処理を行う液晶表示装置の一例である液晶テレビジョン受像機Ｘの概略構成を表すブロック図，図２は第１発明の第１実施例に係るスクロール用マークデータ（文字の例）が表すマーク画像の図，図３は第１発明の第１実施例に係るスクロール用マークデータ（図形の例）が表すマーク画像の図，図４は第１発明の第２実施例に係るスクロール用マークデータが表すマーク画像の図，図５は第２発明の第１実施例に係るスクロール用マークデータを表すマーク画像の図，図６は第２発明の第２実施例に係るスクロール用マークデータを表すマーク画像の図，図７は第１発明の第１実施例に係るスクロール用マークデータに基づくスクロール表示における階調レベル変化の第１の具体例を表す図，図８は階調レベルの変化と階調電圧の変化との関係を表すグラフ，図９は第１発明の第１実施例に係るスクロール用マークデータに基づくスクロール表示における階調レベル変化の第２の具体例を表す図，図１０は第１発明の第２実施例に係るスクロール用マークデータに基づくスクロール表示における階調レベル変化の具体例を表す図，図１１は第２発明の第１実施例に係るスクロール用マークデータに基づくスクロール表示における階調レベル変化の具体例を表す図，図１２は第２発明の第２実施例に係るスクロール用マークデータに基づくスクロール表示における階調レベル変化の具体例を表す図，図１３は従来の液晶表示装置においてマーク画像がスクロール表示される様子を表す図，図１４は従来の液晶表示装置のある画素（液晶素子）におけるマーク画像が表示されるときの階調レベルの変化を表す図である。
【００１７】
まず，図１に示されるブロック図を参照しつつ，本発明に係るスクロール用マークデータに基づいてスクロール表示処理を行う液晶表示装置の一例である液晶テレビジョン受像機Ｘの構成について説明する。
図１に示されるように，テレビジョン受像機Ｘは，チューナ１，外部信号入力部２，復調・分離回路３，映像復号回路１１，映像選択回路１２，映像処理回路１３，液晶ドライバ１４，液晶表示パネル１５，調光回路１６，バックライト１７，音声復号回路２１，音声選択回路２２，音声処理回路２３，アンプ２４，スピーカ２５，制御回路４，マークデータＲＯＭ５，リモコン受光部６及びリモコン７等を備えている。
【００１８】
前記チューナ１は，入力されたテレビジョン放送信号から放送中のコンテンツ（放送番組）の信号を抽出する電子部品である。より具体的には，前記チューナ１は，前記制御回路４により選択を指示された放送番組の信号が含まれる搬送波周波数成分の信号を抽出し，その抽出信号を後段の復調・分離回路３に伝送する。なお，前記チューナ１は，放送媒体（地上波，ＢＳ，ＣＳ等）ごとに個別に設けられる。
前記復調・分離回路３は，前記チューナ１から伝送されてきた搬送波周波数成分からトランスポートストリーム信号（Transport Stream信号：以下，ＴＳ信号）を復調する。さらに，前記復調・分離回路３は，抽出されたＴＳ信号から，視聴される放送番組に対応した映像信号及び音声信号，並びに付加データ等を分離して抽出する。さらに，前記復調・分離回路３は，前記制御回路４から受けたＰＩＤ（Packet IDentification)に応じて，視聴対象となる放送番組の映像信号及び音声信号を抽出し，各信号を前記映像復号回路１１及び前記音声復号回路２１それぞれに伝送する。
また，前記復調・分離回路３は，ＴＳ信号から，付加データであるＳＩ（Service Information）等を抽出して前記制御回路４に伝送する。このＳＩは，ＥＰＧ（電子番組ガイド）の情報（例えば，番組名，番組のジャンル，放送時間等を示す情報）が多重化されたデータである。
【００１９】
また，前記外部信号入力部２は，外部装置から映像信号及び音声信号を入力する信号入力インターフェースである。
また，前記映像復号回路１１は，前記復調・分離回路３から伝送される映像信号を復号し，復号した映像信号を前記映像選択回路１２に伝送する。同様に，前記音声復号回路２１は，前記復調・分離回路３から伝送される音声信号を復号し，復号した音声信号を前記音声選択回路２２に伝送する。
前記映像選択回路１２は，前記制御回路４からの制御指令に従って，入力される複数のコンテンツの映像信号の中から，１つ又は複数の映像信号を選択して前記映像処理回路１３へ伝送する。この映像選択回路１２に入力される信号には，前記映像復号回路１１を通じて入力される放送番組のコンテンツの映像信号と，前記外部信号入力部２を通じて入力される外部入力コンテンツの映像信号とが含まれる。
【００２０】
また，前記映像処理回路１３は，前記制御回路４からの制御指令に従って，コンテンツの画像を前記液晶表示パネル１５に表示させるために前記液晶ドライバ１４に供給するフレーム画像信号を生成する。このフレーム画像信号は，画素ごと（液晶素子ごと）の階調レベルが設定された信号である。
例えば，前記映像処理回路１３は，前記映像選択回路１２を通じて入力されるコンテンツの画像にスクロール画像が重畳された画像を前記液晶表示パネル１５に表示させるフレーム画像信号を生成する。
具体的には，前記映像処理回路１３は，前記制御回路４からスクロール表示の対象とする文字列や図形等のマークを識別するキャラクタコードを取得し，そのキャラクタコードに対応するスクロール用のマークデータを，前記マークデータＲＯＭ５から読み出す。
前記マークデータＲＯＭ５には，文字や図形等の画像であるマーク画像の形状及び階調レベルを表す複数のマークデータが，その各々を識別するキャラクタコードと対応付けられて記憶されており，そのデータは，前記映像処理回路１３が備えるマイクロプロセッサによって読み出される。前記マークデータＲＯＭ５に記憶されているマークデータは，液晶表示装置におけるスクロール用に特化されたマークデータであり，以下，スクロール用マークデータと称する。その詳細については後述する。なお，前記マークデータＲＯＭ５は，前記映像処理回路１３が備えるマイクロプロセッサ（コンピュータの一例）によりデータの読み取りが可能な記録媒体の一例である。
そして，前記映像処理回路１３は，前記映像選択回路１２を通じて入力されるコンテンツの画像の一部に，前記マークデータＲＯＭ５から読み出した前記スクロール用マークデータに基づくマーク画像が重畳された画像のフレーム画像信号を生成する。画像信号（画像データ）の重ね合わせは，前記映像処理回路１３が備えるフレームメモリ１３ａにおいて行われる。その際，前記映像処理回路１３は，１フレームごとに，コンテンツ画像における前記マーク画像の重畳位置を，前記制御回路４から指定されたスクロール方向へ一定距離ずつシフトさせる。これにより，前記液晶表示パネル１５に，スクロール画像を含むコンテンツの画像が表示される。
このように，前記映像処理回路１３は，前記スクロール用マークデータに基づいて，液晶表示パネル１５の画面における背景の階調レベルが既知の表示領域において，文字や図形等の画像であるマーク画像を一のスクロール方向に移動させつつ描画させるスクロール表示処理を実行する。
前記制御回路４から前記映像処理回路１３に伝送されるキャラクタコードは，例えば，前記チューナ１及び前記復調・分離回路３によって放送信号から抽出されたサービス情報を表すコード等である。
【００２１】
また，前記映像処理回路１３は，入力されるコンテンツの画像信号における階調信号をその変化に応じて補正し，補正後の階調信号を含む前記フレーム画像信号を前記液晶ドライバ１４に供給する前記加速駆動処理を行う。
具体的には，前記映像処理回路１３は，最新フレームの画像信号と，その１つ前の（前回の）フレームの画像信号とを前記フレームメモリ１３ａに一時記憶させる。そして，前記映像処理回路１３は，前記フレームメモリ１３ａに記憶された信号を参照し，前回（１つ前）のフレームから今回のフレームへの階調信号のレベル変化に対し，前記液晶ドライバ１４に供給する階調信号のレベル変化をオーバーシュートさせる補正を行う。
【００２２】
前記液晶ドライバ１４は，前記映像処理回路１３から所定周期で順次伝送されてくる前記フレーム画像信号に基づいて前記液晶表示パネル１５を制御し，そのフレーム画像信号に対応する１フレーム分（１コマ）の画像を前記液晶表示パネル１５に順次表示させる回路である。具体的には，前記液晶ドライバ１４は，前記フレーム画像信号において画素ごとに設定されている階調レベルに応じた階調電圧を，前記液晶表示パネル１５に設けられた画素ごとの液晶素子それぞれに印可する。
また，前記液晶表示パネル１５は，前記液晶ドライバ１４による制御に応じて，前記フレーム画像信号に対応する映像を表示する。
また，前記バックライト１７は，前記液晶表示パネル１５の背面側に配列された複数の光源の光により，前記液晶表示パネル１５の表示領域を背面側から照明するものである。
また，前記調光回路１６は，前記制御回路４からの制御指令に従って，前記バックライト１７の光源に対する供給電力を調節することにより，前記バックライト１７の発光の明るさをＰＷＭ制御により調節するインバータ回路である。
【００２３】
前記音声復号回路２１は，前記復調・分離回路３から伝送されてくる音声信号を復号し，復号した音声信号を前記音声選択回路２２に伝送する。
前記音声選択回路２２は，前記制御回路４からの制御指令に従って，入力される複数の音声信号の中から１つの音声信号を選択して前記音声処理回路２３へ伝送する回路である。前記音声選択回路２２に入力される音声信号には，前記チューナ１により選局された放送番組のコンテンツの音声信号（前記音声復号回路２１を通じて入力される音声信号）と，前記外部信号入力部２を通じて入力される音声信号とが含まれる。
前記音声処理回路２３は，前記制御回路４からの指示に従って，前記音声選択回路２２により選択された音声信号に対して各種信号処理を行うものである。例えば，前記スピーカ２５の特性に合わせたイコライズ処理や，サラウンド処理等を行う。
前記アンプ２４は，前記音声処理回路２３による処理後の音声信号を，前記制御回路４からの指示に従って増幅或いは減衰させる音量調節処理を行い，前記スピーカ２５に出力するものである。
【００２４】
前記リモコン受光部６は，当該テレビジョン受像機Ｘの操作用のリモコン７（リモート操作器）から，所定の信号伝送プロトコル（いわゆるリモコンプロトコル）に従って，赤外線による無線信号受信を行う信号伝送インターフェースである。そして，前記リモコン受光部６は，赤外線信号から前記リモコン７に対する操作入力情報を表す信号を抽出し，その信号を前記制御回路４に伝送する。
【００２５】
前記制御回路４は，演算手段であるＭＰＵ４ａ，記憶手段であるＲＯＭ４ｂ（ＥＰＲＯＭ）及びＥＥＰＲＯＭ４ｃを備え，前記ＭＰＵ４ａが，制御プログラムを実行することによって当該テレビジョン受像機Ｘ全体を制御する。
前記ＲＯＭ４ｂには，前記ＭＰＵ４ａによって実行される制御プログラムが予め格納されている。また，前記ＥＥＰＲＯＭ４ｃには，前記ＭＰＵ４ａが実行する処理において読み書き（参照又は書き込み）される各種データが記憶される。
なお，以降の説明において，前記制御回路４が実行する処理は，前記ＭＰＵ４ａが前記ＲＯＭ４ｂに記憶された制御プログラムを実行することによって実現される。
例えば，前記制御回路４は，前記リモコン７及び前記リモコン受光部６を通じてチャンネル選局や音量調節の情報を取得し，その取得情報の内容に応じて前記チューナ１に対する選局指示や前記アンプ２４に対する音量調節指示を出力する。
また，前記制御回路４は，前記リモコン７及び前記リモコン受光部６を通じてサービス情報のスクロール表示を要求する情報を取得した場合，前記復調・分離回路３から取得したＳＩ（Service Information）に応じたキャラクタコードと，スクロール表示の実行指令とを前記映像処理回路１３に送出する。これに応じて，前記映像処理回路１３によるスクロール表示処理が実行される。
【００２６】
次に，図２〜図１２を参照しつつ前記マークデータＲＯＭ５に予め記憶される前記スクロール用マークデータについて説明する。
前記スクロール用マークデータは，前記液晶表示パネル１５の画面における背景の階調レベルが既知の表示領域において，一のスクロール方向Ｆに移動されつつ描画されるマーク画像の形状及び階調レベルを表すデータである。前記マークデータＲＯＭ５には，複数種類のマーク画像それぞれを表す複数のスクロール用マークデータが記憶されている。
例えば，前記スクロール用マークデータは，二次元に配列された複数のピクセルの中で，マーク画像を形成する描画点の位置にあるピクセルに対して階調レベルが設定されたビットマップデータ等である。この場合，描画点以外の背景部分のピクセルに対しては，例えば，階調レベルとしてとり得る値以外の値が設定される。その他，前記スクロール用マークデータは，いわゆるアウトラインフォントと称されるベクトルデータであってもかまわない。
【００２７】
図２〜図６には，本発明の実施例に係るスクロール用マークデータｆ１’，ｆ１〜ｆ４が表すマーク画像の図の一例が示されている。
なお，図２〜図６に示されるマーク画像における描画部及び背景部の濃淡の程度は，各部の階調レベルに応じた濃淡の程度となっている。即ち，最小の階調レベルである部分が黒色，最大の階調レベルである部分が白色，それらの中間の階調レベルである部分が灰色で表示されている。
これらスクロール用マークデータｆ１’，ｆ１〜ｆ４（図２〜図６参照）に共通の特徴は，マーク画像における，スクロール方向Ｆにおいて背景ｇｂに接する境界部分である前方エッジ部ｅｆの階調レベルと，反スクロール方向Ｂにおいて背景ｇｂに接する境界部分である後方エッジ部ｅｂの階調レベルとが，それら以外の部分である非エッジ部ｅｍの階調レベルと異なるレベルに設定されている点にある。
以下，前記スクロール用マークデータｆ１’，ｆ１〜ｆ４それぞれの特徴について説明する。
【００２８】
図２は，第１発明の第１実施例に係るスクロール用マークデータｆ１’（以下，マークデータｆ１’と略称する）が表すマーク画像の図である。図２に示されるマーク画像は，文字"口"を表す画像である。
前記マークデータｆ１’は，前記液晶表示パネル１５の表示画面における背景ｇｂの階調レベルが最大の階調レベルＬmaxである表示領域にスクロール表示されるマーク画像のデータである。
そして，前記マークデータｆ１’の特徴は，前記前方エッジ部ｅｆ及び前記後方エッジ部ｅｂの階調レベルが最小の階調レベルＬminに設定され，前記非エッジ部ｅｍの階調レベルが，最大の階調レベルＬmax（＝背景ｇｂの階調レベル）よりも最小の階調レベルの方に近い中間の階調レベルＬm1に設定されている点にある。
例えば，最小の階調レベルＬminが０，最大の階調レベルＬmaxが２５５（＝背景ｇｂの階調レベル）である場合に，前記前方エッジ部ｅｆ及び前記後方エッジ部ｅｂの階調レベルが０に，前記非エッジ部ｅｍの階調レベルＬm1が１〜１２２の範囲の値（例えば，２０程度）に設定されている。
【００２９】
図７は，図２に示される前記マークデータｆ１’のマーク画像がスクロール表示されるときのある画素の階調レベル変化の具体例を表す図である。なお，図７は，図２に示される前記マーク画像のＰ１の部分を表示する画素の階調レベルＬvの変化を表す。
図７に示されるように，前記マークデータｆ１’に基づくスクロール表示においては，マーク画像の前記非エッジ部ｅｍを表示する状態から背景ｇｂを表示する状態へ切り替わる際に，前記後方エッジ部ｅｂの存在により，画素の階調レベルＬvが，前記非エッジ部ｅｍの階調レベルＬm1から，背景ｇｂの階調レベルへ向かう方向とは反対の方向へ変更された後に，背景ｇｂの階調レベルへ変更される。これにより，マーク画像から背景への表示切り替えの際の階調電圧の変化がより急峻となって液晶素子の応答性が高まり，スクロール表示されるマーク画像の画像ボケを防止できる。
なお，図８は，画素の階調レベルＬvの変化と階調電圧Ｖr（液晶素子に印可される電圧）の変化との関係を表すグラフである。図８に示されるように，階調電圧Ｖrは，階調レベルＬvの変化に追従する変化を示す。即ち，階調レベルＬvと階調電圧Ｖrとはほぼ等価の関係にある。
【００３０】
また，図９も，図７と同様に，図２に示される前記マークデータｆ１’のマーク画像がスクロール表示されるときのある画素の階調レベル変化の具体例を表す図である。但し，図９は，図２に示される前記マーク画像のＰ２の部分を表示する画素の階調レベルＬvの変化を表す。
図９に示されるように，前記マークデータｆ１’に基づくスクロール表示においては，背景ｇｂを表示する状態からマーク画像を表示する状態へ切り替わる際に，前記前方エッジ部ｅｆの存在により，画素の階調レベルＬvが，最大の階調レベルＬmaxから，最小の階調レベルＬminへ変更された後に，前記非エッジ部ｅｍの階調レベルＬm1へ変更される。これにより，背景からマーク画像への表示切り替えの際にも，階調電圧の変化がより急峻となって液晶素子の応答性が高まり，スクロール表示されるマーク画像の画像ボケを防止できる。
また，図３は，図２のマークデータｆ１’と同じく第１発明の第１実施例に係るマークデータｆ１が表すマーク画像の一例であるが，図３に示されるマーク画像は，文字ではなく記号を表す画像である。
この図３に示されるマークデータｆ１は，マーク画像の形状が異なる以外は，図２に示されれるマークデータｆ１’と同等の内容のデータである。この図３に示されるようなマーク画像を表すマークデータｆ１も，第１発明に係るスクロール用マークデータの一例である。
【００３１】
図４は，第１発明の第２実施例に係るスクロール用マークデータｆ２（以下，マークデータｆ２と略称する）が表す画像の図である。
前記マークデータｆ２は，前記液晶表示パネル１５の表示画面における背景ｇｂの階調レベルが最小の階調レベルＬmin（黒）である表示領域にスクロール表示されるマーク画像のデータである。
そして，前記マークデータｆ２の特徴は，前記前方エッジ部ｅｆ及び前記後方エッジ部ｅｂの階調レベルが最大の階調レベルＬmaxに設定され，前記非エッジ部ｅｍの階調レベルが，最小の階調レベルＬmax（＝背景ｇｂの階調レベル）よりも最大の階調レベルＬmaxの方に近い中間の階調レベルＬm2に設定されている点にある。
例えば，最小の階調レベルＬminが０，最大の階調レベルＬmaxが２５５（＝背景ｇｂの階調レベル）である場合に，前記前方エッジ部ｅｆ及び前記後方エッジ部ｅｂの階調レベルが２５５に，前記非エッジ部ｅｍの階調レベルＬm2が１２３〜２５４の範囲の値（例えば，２３５程度）に設定されている。
なお，図４には，便宜上，背景ｇｂの部分がその階調レベルに応じた濃淡を付して表記されているが，そのことは，前記マークデータｆ２に背景ｇｂの階調レベルの情報が含まれることを意味するわけではない。
【００３２】
図１０は，図４に示される前記マークデータｆ２のマーク画像がスクロール表示されるときのある画素の階調レベル変化の具体例を表す図である。なお，図１０は，図４に示される前記マーク画像のＰ３の部分を表示する画素の階調レベルＬvの変化を表す。
図１０に示されるように，前記マークデータｆ２に基づくスクロール表示においては，マーク画像の前記非エッジ部ｅｍを表示する状態から背景ｇｂを表示する状態へ切り替わる際に，前記後方エッジ部ｅｂの存在により，画素の階調レベルＬvが，前記非エッジ部ｅｍの階調レベルＬm2から，背景ｇｂの階調レベルへ向かう方向とは反対の方向へ変更された後に，背景ｇｂの階調レベルへ変更される。
また，背景ｇｂを表示する状態からマーク画像を表示する状態へ切り替わる際に，前記前方エッジ部ｅｆの存在により，画素の階調レベルＬvが，最小の階調レベルＬminから，最大の階調レベルＬmaxへ変更された後に，前記非エッジ部ｅｍの階調レベルＬm2へ変更される。
これにより，マーク画像と背景との間の表示切り替えの際の階調電圧の変化がより急峻となって液晶素子の応答性が高まり，スクロール表示されるマーク画像の画像ボケを防止できる。
【００３３】
ところで，前記マークデータｆ１’，ｆ１（第１実施例）及び前記マークデータｆ２（第２実施例）は，マーク画像における，スクロール方向Ｆ及びその反対方向Ｂそれぞれにおいて背景に接する境界部分であるエッジ部ｅｆ，ｅｂの階調レベルの方が，前記非エッジ部ｅｍの階調レベルＬ1，Ｌ2よりも背景ｇｂの階調レベルに対する差が大きくなるレベルに設定されているという点で共通する。
そのように階調レベルの設定がなされたスクロール用マークデータに基づきスクロール表示が行われた場合，マーク画像と背景との間の表示切り替えの際の階調電圧の変化がより急峻となって液晶素子の応答性が高まり，スクロール表示されるマーク画像の画像ボケを防止できる。
【００３４】
図５は，第２発明の第１実施例に係るスクロール用マークデータｆ３（以下，マークデータｆ３と略称する）が表すマーク画像の図である。図５に示されるマーク画像は，文字"口"を表す画像である。
前記マークデータｆ３は，前記液晶表示パネル１５の表示画面における背景ｇｂの階調レベルが，最小の階調レベルＬminよりも最大の階調レベルＬmaxの方に近い中間の階調レベルＬm3である表示領域にスクロール表示されるマーク画像のデータである。
そして，前記マークデータｆ３の特徴は，前記前方エッジ部ｅｆ及び前記後方エッジ部ｅｂの階調レベルが最大の階調レベルＬmaxに設定され，前記非エッジ部ｅｍの階調レベルが，最小の階調レベルＬminに設定されている点にある。
例えば，最小の階調レベルＬminが０，最大の階調レベルＬmaxが２５５であり，背景ｇｂの階調レベルが１２３〜２５４（例えば，１３５程度）である場合に，前記前方エッジ部ｅｆ及び前記後方エッジ部ｅｂの階調レベルが２５５に，前記非エッジ部ｅｍの階調レベルが０に設定されている。
なお，図５には，便宜上，背景ｇｂの部分がその階調レベルに応じた濃淡を付して表記されているが，そのことは，前記マークデータｆ３に背景ｇｂの階調レベルの情報が含まれることを意味するわけではない。
【００３５】
図１１は，図５に示される前記マークデータｆ３のマーク画像がスクロール表示されるときのある画素の階調レベル変化の具体例を表す図である。なお，図１１は，図５に示される前記マーク画像のＰ４の部分を表示する画素の階調レベルＬvの変化を表す。
図１１に示されるように，前記マークデータｆ３に基づくスクロール表示においては，マーク画像の前記非エッジ部ｅｍを表示する状態から背景ｇｂを表示する状態へ切り替わる際に，前記後方エッジ部ｅｂの存在により，画素の階調レベルＬvが，前記非エッジ部ｅｍの階調レベルＬminから，背景ｇｂの階調レベルＬm3に対してオーバーシュートするレベルＬmaxへ変更された後に，背景ｇｂの階調レベルＬm3へ戻される。
また，背景ｇｂを表示する状態からマーク画像を表示する状態へ切り替わる際に，前記前方エッジ部ｅｆの存在により，画素の階調レベルＬvが，背景ｇｂの階調レベルＬm3から，最大の階調レベルＬmaxへ変更された後に，前記非エッジ部ｅｍの階調レベルＬminへ変更される。
これにより，マーク画像と背景との間の表示切り替えの際の階調電圧の変化がより急峻となって液晶素子の応答性が高まり，スクロール表示されるマーク画像の画像ボケを防止できる。
なお，前記マークデータｆ３が表すマーク画像における前記前方エッジ部ｅｆ及び前記後方エッジ部ｅｂは，その階調レベルが前記非エッジ部ｅｍの階調レベルよりも背景ｇｂの階調レベルに近い。従って，それらエッジ部ｅｆ，ｅｂは，画面上では，マーク画像の縁部と接する背景の部分として認識される部分となる。
【００３６】
図６は，第２発明の第２実施例に係るスクロール用マークデータｆ４（以下，マークデータｆ４と略称する）が表すマーク画像の図である。図６に示されるマーク画像は，文字"口"を表す画像である。
前記マークデータｆ４は，前記液晶表示パネル１５の表示画面における背景ｇｂの階調レベルが，最大の階調レベルＬmaxよりも最小の階調レベルＬminの方に近い中間の階調レベルＬm4である表示領域にスクロール表示されるマーク画像のデータである。
そして，前記マークデータｆ４の特徴は，前記前方エッジ部ｅｆ及び前記後方エッジ部ｅｂの階調レベルが最小の階調レベルＬminに設定され，前記非エッジ部ｅｍの階調レベルが最大の階調レベルＬmaxに設定されている点にある。
例えば，最小の階調レベルＬminが０，最大の階調レベルＬmaxが２５５であり，背景ｇｂの階調レベルが１〜１２２（例えば，２０程度）である場合に，前記前方エッジ部ｅｆ及び前記後方エッジ部ｅｂの階調レベルが０に，前記非エッジ部ｅｍの階調レベルが２５５に設定されている。
なお，図６には，便宜上，背景ｇｂの部分がその階調レベルに応じた濃淡を付して表記されているが，そのことは，前記マークデータｆ４に背景ｇｂの階調レベルの情報が含まれることを意味するわけではない。
【００３７】
図１２は，図６に示される前記マークデータｆ４のマーク画像がスクロール表示されるときのある画素の階調レベル変化の具体例を表す図である。なお，図１２は，図６に示される前記マーク画像のＰ５の部分を表示する画素の階調レベルＬvの変化を表す。
図１２に示されるように，前記マークデータｆ４に基づくスクロール表示においては，マーク画像の前記非エッジ部ｅｍを表示する状態から背景ｇｂを表示する状態へ切り替わる際に，前記後方エッジ部ｅｂの存在により，画素の階調レベルＬvが，前記非エッジ部ｅｍの階調レベルＬmaxから，背景ｇｂの階調レベルＬm4に対してオーバーシュートするレベルＬminへ変更された後に，背景ｇｂの階調レベルＬm4へ戻される。
また，背景ｇｂを表示する状態からマーク画像を表示する状態へ切り替わる際に，前記前方エッジ部ｅｆの存在により，画素の階調レベルＬvが，背景ｇｂの階調レベルＬm4から，最小の階調レベルＬminへ変更された後に，前記非エッジ部ｅｍの階調レベルＬmaxへ変更される。
これにより，マーク画像と背景との間の表示切り替えの際の階調電圧の変化がより急峻となって液晶素子の応答性が高まり，スクロール表示されるマーク画像の画像ボケを防止できる。
なお，前記マークデータｆ４が表すマーク画像における前記前方エッジ部ｅｆ及び前記後方エッジ部ｅｂは，その階調レベルが前記非エッジ部ｅｍの階調レベルよりも背景ｇｂの階調レベルに近い。従って，それらエッジ部ｅｆ，ｅｂは，画面上では，マーク画像の縁部と接する背景の部分として認識される部分となる。
【００３８】
ところで，前記マークデータｆ３，ｆ４は，マーク画像における，スクロール方向Ｆ及びその反対方向Ｂそれぞれにおいて背景に接する境界部分であるエッジ部ｅｆ，ｅｂの階調レベルと，それ以外の前記非エッジ部ｅｍの階調レベルとが，それぞれ背景ｇｂの階調レベルに対する大小関係が反対のレベルに設定されているという点で共通する。
そのように階調レベルの設定がなされたスクロール用マークデータに基づきスクロール表示が行われた場合，マーク画像と背景との間の表示切り替えの際の階調電圧の変化がより急峻となって液晶素子の応答性が高まり，スクロール表示されるマーク画像の画像ボケを防止できる。
また，図２〜図６に示されるマークデータｆ１，ｆ１’，ｆ２〜ｆ４は，スクロール方向Ｆと反スクロール方向Ｂとの関係が反対であっても，全く同じ作用効果を奏する。
【００３９】
以上に示した各スクロール用マークデータｆ１，ｆ１’，ｆ２〜ｆ４は，いずれも背景の階調レベルの情報を含まないデータの例である。しかしながら，前記スクロール用マークデータｆ１，ｆ１’，ｆ２〜ｆ４に，以上に示されたマーク画像の階調レベルとの相対関係を満たす背景ｇｂの階調レベルの情報が含まれることも考えられる。
【００４０】
また，以上に示した実施形態は，予め前記マークデータＲＯＭ５に記録された前記スクロール用マークデータに基づくマーク画像をスクロール表示する例である。
しかしながら，前記液晶表示装置Ｘが，一定の階調レベルが設定された従来のマークデータ（以下，基準のマークデータという）を補正することにより，図２〜図６に示されるような前記スクロール用マークデータを生成し，生成したデータに基づいてスクロール表示処理を行うことも考えられる。なお，ここでいう一定の階調レベルには，背景の階調レベルは含まれない。
【００４１】
例えば，前記マークデータＲＯＭ５に記録された前記基準のマークデータの階調レベルが最小の階調レベルＬminで一定であり，表示領域の背景ｇｂの階調レベルが最大の階調レベルＬmaxである場合が考えられる。
この場合，前記映像処理回路１３が，前記基準のマークデータにおける前記前方エッジ部ｅｆ及び前記後方エッジ部ｅｂの階調レベルＬminはそのまま維持し，その他の前記非エッジ部ｅｍの階調レベルを，最小の階調レベルＬminから前記中間の階調レベルＬm1（図７，図９参照）へ補正することが考えられる。
同様に，前記マークデータＲＯＭ５に記録された前記基準のマークデータの階調レベルが最大の階調レベルＬmaxで一定であり，表示領域の背景ｇｂの階調レベルが最小の階調レベルＬmixである場合が考えられる。
この場合，前記映像処理回路１３が，前記基準のマークデータにおける前記前方エッジ部ｅｆ及び前記後方エッジ部ｅｂの階調レベルはそのまま維持し，その他の前記非エッジ部ｅｍの階調レベルを，最大の階調レベルＬmaxから前記中間の階調レベルＬm2（図１０参照）へ補正することが考えられる。
以上に示した前記映像処理回路１３の処理は，前記基準のマークデータに対し，その基準のマークデータが表すマーク画像における前記前方エッジ部ｅｆ及び前記後方エッジ部ｅｂの階調レベルの方が，前記非エッジ部ｅｍの階調レベルよりも背景ｇｂの階調レベルに対する差が大きくなるよう階調レベルの補正を行う処理（マークデータ補正処理の一例）である。
【００４２】
また，前記マークデータＲＯＭ５に記録された前記基準のマークデータの階調レベルが最小の階調レベルＬminで一定であり，表示領域の背景ｇｂの階調レベルが最小の階調レベルＬminよりも最大の階調レベルＬmaxの方に近い中間の階調レベル（図１１におけるＬm3に相当）である場合が考えられる。
この場合，前記映像処理回路１３が，前記基準のマークデータにおける前記非エッジ部ｅｍの階調レベルをそのまま維持し，前記前方エッジ部ｅｆ及び前記後方エッジ部ｅｂの階調レベルを最大の階調レベルＬmaxに補正することが考えられる。
ところで，前述したように，この場合の両エッジ部ｅｆ，ｅｂは，画面上では，マーク画像の縁部と接する背景の部分として認識される部分となる。そのため，この場合の両エッジ部ｅｆ，ｅｂは，前記標準のマークデータに対して膨張処理（マーク画像の輪郭を膨らませる処理）を施し，膨張処理後のマークデータについて前記両エッジ部ｅｆ，ｅｂと前記非エッジ部ｅｍとの区分を行うことが望ましい。
【００４３】
また，前記マークデータＲＯＭ５に記録された前記基準のマークデータの階調レベルが最大の階調レベルＬmaxで一定であり，表示領域の背景ｇｂの階調レベルが最大の階調レベルＬmaxよりも最小の階調レベルＬminの方に近い中間の階調レベル（図１２におけるＬm4に相当）である場合が考えられる。
この場合，前記映像処理回路１３が，前記基準のマークデータにおける前記非エッジ部ｅｍの階調レベルをそのまま維持し，前記前方エッジ部ｅｆ及び前記後方エッジ部ｅｂの階調レベルを最小の階調レベルＬminに補正することが考えられる。
この場合も，前述したように，両エッジ部ｅｆ，ｅｂは，画面上では，マーク画像の縁部と接する背景の部分として認識される部分となる。そのため，この場合の両エッジ部ｅｆ，ｅｂも，前記標準のマークデータに対して膨張処理（マーク画像の輪郭を膨らませる処理）を施し，膨張処理後のマークデータについて前記両エッジ部ｅｆ，ｅｂと前記非エッジ部ｅｍとの区分を行うことが望ましい。
以上に示した前記映像処理回路１３の処理は，前記基準のマークデータに対し，その基準のマークデータが表すマーク画像における前記両エッジ部ｅｆ，ｅｂの階調レベルと前記非エッジ部ｅｍの階調レベルとが，それぞれ背景ｇｂの階調レベルに対する大小関係が反対のレベルとなるよう階調レベルの補正を行う処理（マークデータ補正処理の一例）である。
そして，前記映像処理回路１３は，補正後のマークデータに基づくスクロール表示処理（スクロール描画処理）を行う。これにより，前記液晶表示パネル１５の画面において，画像ボケの生じにくいスクロール画像が表示される。
【００４４】
また，前記標準のデータは，ＲＯＭ等の情報記録媒体に予め記録されているデータである場合の他，表示対象となるコンテンツの画像から，その中でスクロール表示されるマーク画像を抽出して得られるマーク画像のデータであってもよい。
マーク画像の抽出処理では，例えば，連続する複数のフレーム画像相互間において，その部分画像の相関度が算出される。さらに，所定以上の相関度を有する部分画像が，連続する複数のフレーム画像の中で一定速度で移動している場合に，その部分画像が，スクロール表示されているマーク画像として抽出される。このようなマーク画像の抽出処理は，前記倍速駆動処理において前記中間的な画像のフレーム信号を自動生成する際に行われる処理である。
【産業上の利用可能性】
【００４５】
本発明は，スクロール表示機能を備える液晶表示装置への利用が可能である。
【図面の簡単な説明】
【００４６】
【図１】本発明に係るスクロール用マークデータに基づいてスクロール表示処理を行う液晶表示装置の一例である液晶テレビジョン受像機Ｘの概略構成を表すブロック図。
【図２】第１発明の第１実施例に係るスクロール用マークデータ（文字の例）が表すマーク画像の図。
【図３】第１発明の第１実施例に係るスクロール用マークデータ（図形の例）が表すマーク画像の図。
【図４】第１発明の第２実施例に係るスクロール用マークデータが表すマーク画像の図。
【図５】第２発明の第１実施例に係るスクロール用マークデータを表すマーク画像の図。
【図６】第２発明の第２実施例に係るスクロール用マークデータを表すマーク画像の図。
【図７】第１発明の第１実施例に係るスクロール用マークデータに基づくスクロール表示における階調レベル変化の第１の具体例を表す図。
【図８】階調レベルの変化と階調電圧の変化との関係を表すグラフ。
【図９】第１発明の第１実施例に係るスクロール用マークデータに基づくスクロール表示における階調レベル変化の第２の具体例を表す図。
【図１０】第１発明の第２実施例に係るスクロール用マークデータに基づくスクロール表示における階調レベル変化の具体例を表す図。
【図１１】第２発明の第１実施例に係るスクロール用マークデータに基づくスクロール表示における階調レベル変化の具体例を表す図。
【図１２】第２発明の第２実施例に係るスクロール用マークデータに基づくスクロール表示における階調レベル変化の具体例を表す図。
【図１３】従来の液晶表示装置においてマーク画像がスクロール表示される様子を表す図。
【図１４】従来の液晶表示装置のある画素（液晶素子）におけるマーク画像が表示されるときの階調レベルの変化を表す図。
【符号の説明】
【００４７】
Ｘ    ：液晶テレビジョン受像機（液晶表示装置）
１    ：チューナ
２    ：外部信号入力部
３    ：復調・分離回路
４    ：制御回路
５    ：マークデータＲＯＭ
６    ：リモコン受光部
７    ：リモコン
１１  ：映像復号回路
１２  ：映像選択回路
１３  ：映像処理回路
１４  ：液晶ドライバ
１５  ：液晶表示パネル
１６  ：調光回路（インバータ回路）
１７  ：バックライト
２１  ：音声復号回路
２２  ：音声選択回路
２３  ：音声処理回路
２４  ：アンプ
２５  ：スピーカ
【図１】
2010066414.tif 000003
【図２】
2010066414.tif 000004
【図３】
2010066414.tif 000005
【図４】
2010066414.tif 000006
【図５】
2010066414.tif 000007
【図６】
2010066414.tif 000008
【図７】
2010066414.tif 000009
【図８】
2010066414.tif 000010
【図９】
2010066414.tif 000011
【図１０】
2010066414.tif 000012
【図１１】
2010066414.tif 000013
【図１２】
2010066414.tif 000014
【図１３】
2010066414.tif 000015
【図１４】
2010066414.tif 000016